(57)【要約】【課題】不正な主制御基板が取り付けられたことを容易に発見することが可能な遊技機を提供すること。【解決手段】主制御基板１及び演出制御基板２に、それぞれ、遊技機の電源投入から電源遮断までの給電時間を計測する給電時間計測手段１１，２１と、電源遮断時に給電時間計測手段１１，２１により計測された給電時間計測値を記憶する給電時間計測値記憶手段１２，２２とを設け、主制御基板１は、電源再投入時に、主制御基板１の給電時間計測値記憶手段１２に記憶されている給電時間計測値を演出制御基板２に出力し、演出制御基板２は、主制御基板１から入力されてくる給電時間計測値と、演出制御基板２の給電時間計測値記憶手段２２に記憶されている給電時間計測値とを比較し、２つの給電時間計測値間にズレが有る場合に報知する。【選択図】図１
2008036126.tif 000002
【特許請求の範囲】
【請求項１】
メイン基板とサブ基板とを備える遊技機において、
前記メイン基板及び前記サブ基板に、それぞれ、遊技機の電源投入から電源遮断までの給電時間を計測する給電時間計測手段と、電源遮断時に前記給電時間計測手段により計測された給電時間計測値を記憶する給電時間計測値記憶手段とを設け、
前記メイン基板は、電源再投入時に、当該メイン基板の給電時間計測値記憶手段に記憶されている給電時間計測値を前記サブ基板に出力し、
前記サブ基板は、前記メイン基板から入力されてくる給電時間計測値と、当該サブ基板の給電時間計測値記憶手段に記憶されている給電時間計測値とを比較し、前記２つの給電時間計測値間にズレが有る場合に報知する
ことを特徴とする遊技機。
【請求項２】
前記２つの給電時間計測値間にズレが無い場合であっても、給電時間計測値が所定値よりも小さい場合に報知することを特徴とする請求項１に記載の遊技機。
【発明の詳細な説明】
【技術分野】
【０００１】
本発明は、パチンコ遊技機、スロットマシンなど遊技機に関する。
【背景技術】
【０００２】
パチンコ遊技機など遊技機は、遊技状態全体を制御するプログラムを組み込んだメイン基板、及び、メイン基板からコマンドを受信し、液晶表示、音声出力及びランプ表示による各種演出などを制御するサブ基板を備える。
【０００３】
メイン基板のプログラムは、上記のように遊技状態全体を制御するものであり、例えば、遊技者に対し多数の賞球の払出しによる特典を与える特別遊技状態（大当たり）を発生させる確率は所定値に予め設定されている。
【０００４】
しかし、近時、上記大当たり発生率を極めて高い値に設定するなど過度の特典を得られるよう改変された不正プログラムを組み込んだ不正なメイン基板を予め用意しておき、遊技機から正規のメイン基板を取り外し、代わりに不正なメイン基板を遊技機に取り付けるという不正行為が行われている。
【０００５】
不正なメイン基板は、外観上正規のメイン基板と識別できない程巧妙につくられている場合が多く、上記のような不正行為が行われた後に目視で不正なメイン基板を発見すること（例えば、特許文献１参照）は非常に難しく、不正なメイン基板を発見するためには多大な労力と時間が必要とされていた。
【特許文献１】特開２００１−５４６６７公報
【発明の開示】
【発明が解決しようとする課題】
【０００６】
本発明は、上記の点に鑑みなされたものであり、不正なメイン基板が取り付けられたことを容易に発見することが可能な遊技機を提供することを目的とする。
【課題を解決するための手段】
【０００７】
本発明の遊技機は、メイン基板とサブ基板とを備える遊技機において、前記メイン基板及び前記サブ基板に、それぞれ、遊技機の電源投入から電源遮断までの給電時間を計測する給電時間計測手段と、電源遮断時に前記給電時間計測手段により計測された給電時間計測値を記憶する給電時間計測値記憶手段とを設け、前記メイン基板は、電源再投入時に、当該メイン基板の給電時間計測値記憶手段に記憶されている給電時間計測値を前記サブ基板に出力し、前記サブ基板は、前記メイン基板から入力されてくる給電時間計測値と、当該サブ基板の給電時間計測値記憶手段に記憶されている給電時間計測値とを比較し、前記２つの給電時間計測値間にズレが有る場合に報知することを特徴とする。
【０００８】
本発明の遊技機において、電源投入から電源遮断までの間に不正行為が行われ、正規のメイン基板が取り外されて不正なメイン基板が取り付けられた場合、サブ基板の給電時間計測手段が計測する給電時間計測値と不正なメイン基板の給電時間計測手段が計測する給電時間計測値とにズレが生じる。このため、電源を再投入したとき、メイン基板側の給電時間計測値とサブ基板側の給電時間計測値とを比較し、両者間にズレが有ることにより、不正行為が行われたことを容易に発見することが可能になる。
【０００９】
ここで、前記２つの給電時間計測値間にズレが無い場合であっても、給電時間計測値が所定値よりも小さい場合に報知する。遊技機の電源が遮断されている夜間等に不正行為が行われ、不正なメイン基板を取り付けた後、電源を投入して短時間後に遮断することによって２つの給電時間計測値間にズレを生じさせないようにする操作が考えられる。しかし、給電時間計測値が所定値よりも小さいことを検出することにより、上記のような不正な操作を容易に発見することができる。
【発明を実施するための最良の形態】
【００１０】
以下、本発明の実施形態を図面に基づいて説明する。
【００１１】
図１は、本発明の一実施形態に係るパチンコ遊技機における電気系統の主要部ブロック図、図２は、図１図示の主制御基板及び演出制御基板による不正行為発見のための処理の内容を表したフローチャート、図３は、正常時と不正行為発生時の動作パターンを比較して説明するためのタイミングチャートをそれぞれ示す。
【００１２】
図１において、１は、遊技状態全体を制御するプログラムを組み込んだメイン基板としての主制御基板、２は、メイン基板１からコマンドを受信し、図柄表示装置３による図柄変動表示、スピーカ４による音声出力、及び装飾ランプ５によるランプ表示をそれぞれ制御するサブ基板としての演出制御基板であって、遊技機周辺の外部装置６にも接続された演出制御基板を表す。
【００１３】
主制御基板１は、遊技機の電源投入時に起動し、電源遮断までの給電時間を計測する給電時間計測手段１１と、電源遮断時に、給電時間計測手段１１によって計測された給電時間計測値を記憶する給電時間計測値記憶手段１２とを備える。
【００１４】
演出制御基板２は、主制御基板１と同様、遊技機の電源投入時に起動し、電源遮断までの給電時間を計測する給電時間計測手段２１と、電源遮断時に、給電時間計測手段２１によって計測された給電時間計測値を記憶する給電時間計測値記憶手段２２とを備える。さらに、演出制御基板２は、電源再投入時に、主制御基板１の給電時間計測値記憶手段１２に記憶されている前回の給電時間計測値と演出制御基板２の給電時間計測値記憶手段２２に記憶されている前回の給電時間計測値とを比較し、主制御基板１を不正な主制御基板に取り替えた不正行為が行われたか否かを判定する比較判定手段２３を備える。比較判定手段２３は、不正行為が行われたと判断した場合、主制御基板１が不正な主制御基板である旨を、図柄表示装置３で画像表示により、スピーカ４で音声出力により、装飾ランプ５でランプ表示により報知させる。また、比較判定手段２３は、主制御基板１が不正な主制御基板である旨の信号を、ホールコンピュータなど外部装置６に出力する。ここで、図柄表示装置３による画像表示は、主制御基板１と演出制御基板２のそれぞれの給電時間計測値を数字で表示するものであってもよい。
【００１５】
次に、図２のフローチャートに基づいて、主制御基板１及び演出制御基板２による不正行為発見のための処理の流れを説明する。
【００１６】
遊技機の電源が投入されると、主制御基板１及び演出制御基板２のいずれも、給電時間を計測開始する（ステップS1,S11）。
【００１７】
次に、主制御基板１は、前回の給電時間計測値が有るか否かを判定し（ステップS2）、前回の給電時間計測値が有る場合、この給電時間計測値を演出制御基板に送信し（ステップS3）、一方、前回の給電時間計測値が無い場合、バックアップデータに異常が有る旨を演出制御基板２に送信する（ステップS4）。ここで、前回の給電時間計測値は、前回の電源遮断時に、後述するステップS6で記憶された給電時間計測値である。
【００１８】
一方、演出制御基板２は、前回の給電時間計測値が有るか否かの判定（ステップS12）、前回の給電時間計測値が有る場合に行われる、主制御基板１から前回の給電時間計測値を受信したか否かの判定（ステップS13）、主制御基板１から前回の給電時間計測値を受信した場合に行われる、演出制御基板２側の前回の給電時間計測値と主制御基板１側の前回の給電時間計測値との間にズレ（例えば３秒）が有るか否かの判定（ステップS14）、及び、前回の給電時間計測値間にズレが無い場合に行われる、前回の給電時間計測値が所定値よりも小さいか否かの判定（ステップS15）を行い、前回の給電時間計測値が無い場合、前回の給電時間計測値を受信していない場合、前回の給電時間計測値間にズレが有る場合、又は前回の給電時間計測値が所定値よりも小さい場合、外部装置６などに対しバックアップデータに異常が有る旨の信号を出力する（ステップS16）。ここで、前回の給電時間計測値は、前回の電源投入時に、後述するステップS18で記憶された給電時間計測値である。また、主制御基板１から受信する前回の給電時間計測値は、ステップS3で主制御基板１から演出制御基板２に対して送信される前回の給電時間計測値である。
【００１９】
その後、電源が遮断されると、主制御基板１及び演出制御基板２のいずれも、電源遮断による電圧低下を判定し（ステップS5,S17）、今回の電源投入から電源遮断までの給電時間計測値を記憶する（ステップS6,S18）。
【００２０】
図３において、（A）は、不正行為が行われていない場合、（B）は、給電中に不正行為が行われた場合、（C）は、給電停止中に不正行為が行われた場合にそれぞれ対応する。
【００２１】
図３（A）に示すように、不正行為が行われていない場合、主制御基板１において計測される給電時間計測値と、演出制御基板２において計測される給電時間計測値は互いに一致するため、電源の再投入時に異常信号は出力されない。
【００２２】
図３（B）に示すように、給電中に不正行為が行われた場合、電源の再投入時に、不正な主制御基板１において計測される給電時間計測値と、演出制御基板２において計測される給電時間計測値とにズレが有ることが判定され、異常信号が出力される。
【００２３】
図３（C）に示すように、給電停止中に不正行為が行われ、短時間だけ電源を投入する操作が行われた場合、電源の再投入時に、給電時間計測値が所定値よりも小さいことが判定され、異常信号が出力されると共に、図柄表示装置３に給電時間計測値を表示する。
【００２４】
以上説明したように、本実施形態のパチンコ遊技機は、主制御基板１及び演出制御基板２に、それぞれ、遊技機の電源投入から電源遮断までの給電時間を計測する給電時間計測手段１１，２１と、電源遮断時に給電時間計測手段１１，２１により計測された給電時間計測値を記憶する給電時間計測値記憶手段１２，２２とを設け、主制御基板１は、電源再投入時に、主制御基板１の給電時間計測値記憶手段１２に記憶されている給電時間計測値を演出制御基板２に出力し、演出制御基板２は、主制御基板１から入力されてくる給電時間計測値と、演出制御基板２の給電時間計測値記憶手段２２に記憶されている給電時間計測値とを比較し、２つの給電時間計測値間にズレが有る場合、不正行為が行われたことを報知する。
【００２５】
本実施形態のパチンコ遊技機によると、電源投入から電源遮断までの間に不正行為が行われ、正規の主制御基板１が取り外されて不正な主制御基板が取り付けられた場合、演出制御基板２の給電時間計測手段２１が計測する給電時間計測値と不正な主制御基板１の給電時間計測手段１１が計測する給電時間計測値とにズレが生じるため、不正行為が行われたことを容易に発見することが可能になる。
【００２６】
また、２つの給電時間計測値間にズレが無い場合であっても、給電時間計測値が所定値よりも小さい場合、不正行為が行われたことを報知するようにしたため、遊技機の電源が遮断されている夜間等に不正行為が行われ、不正な主制御基板１を取り付けた後、電源を投入して短時間後に遮断することによって２つの給電時間計測値間にズレを生じさせない操作が行われても、不正行為を容易に発見することができる。
【００２７】
なお、上記実施形態では、電源再投入時に主制御基板１の給電時間計測値記憶手段１２に記憶されている給電時間計測値を演出制御基板２に出力するようにしたが、逆に、演出制御基板２の給電時間計測値記憶手段２２に記憶されている給電時間計測値を主制御基板１に出力するようにしてもよい。
【図面の簡単な説明】
【００２８】
【図１】本発明の一実施形態に係るパチンコ遊技機における電気系統の主要部ブロック図である。
【図２】図１図示の主制御基板及び演出制御基板による不正行為発見のための処理の内容を表したフローチャートである。
【図３】正常時と不正行為発生時の動作パターンを比較して説明するためのタイミングチャートである。
【符号の説明】
【００２９】
１    主制御基板（メイン基板）
２    演出制御基板（サブ基板）
１１，２１    給電時間計測手段
１２，２２    給電時間計測値記憶手段
【図１】
2008036126.tif 000003
【図２】
2008036126.tif 000004
【図３】
2008036126.tif 000005